(57)【要約】【課題】接続配管と水栓本体の接続部との間隔調整を容易に行うことができると共に、水栓本体の接続配管への取り付け施工の作業性を向上させること。【解決手段】水栓本体２０から突設される水側接続部２２・湯側接続部２４が給水配管側・給湯配管側のエルボ４２に挿嵌接続されると共に、先端のねじ部５３の径よりも大径の軸部５２を奥端に有する段付きビス５０が、エルボ４２に突設された突設片に４４形成された取付穴４６に挿通され、さらに、第１ステー５４に形成されたねじ孔６０にねじ込まれて、エルボ４２が第１ステー５４に取り付けられる接続配管の取付構造１０において、取付穴４６を水栓本体２０の水側接続部２２・湯側接続部２４の間隔方向において長円に形成すると共に、取付穴４６の周縁部の厚みを軸部５２の長さよりも薄く形成した。【選択図】    図２
2004300831.tif 000002
【特許請求の範囲】
【請求項１】
水栓本体から突設される水側接続部・湯側接続部が給水配管側・給湯配管側の接続配管に挿嵌接続されると共に、先端のねじ部の径よりも大径の軸部を奥端に有する段付きビスが、前記接続配管に突設された突設片に形成された取付穴に挿通され、さらに、ステーに形成されたねじ孔にねじ込まれて、前記接続配管が前記ステーに取り付けられる接続配管の取付構造であって、前記取付穴は水栓本体の前記両接続部の間隔方向において長円に形成されると共に、前記取付穴の周縁部の厚みが前記軸部の長さよりも薄く形成されたことを特徴とする接続配管の取付構造
【請求項２】
前記接続配管は屈曲形成されたエルボであり、前記突設片はエルボの配管側の屈曲方向とは異なる位置に設けられることを特徴とする請求項１に記載の接続配管の取付構造。
【発明の詳細な説明】
【０００１】
【発明の属する技術分野】
本発明は、水栓本体から突設される水側接続部・湯側接続部が給水配管側・給湯配管側の接続配管に挿嵌接続されると共に、この接続配管がステーに取り付けられる接続配管の取付構造に関する。
【０００２】
【従来の技術】
従来、例えば湯水混合水栓の水栓本体には、給水配管側及び給湯配管側に接続されるための水側接続部・湯側接続部がそれぞれ突設されているが、この両接続部は予め所定の間隔（例えば、７５ｍｍや１００ｍｍ）に形成されている。一方、給水配管・給湯配管は、例えばユニットバスなどにおいては壁面パネル等の裏側に引き回された上で、ユニットバス躯体内に配管の端末が引き込まれており、これらの配管端末にエルボなどの接続配管を接続し、さらにこの接続配管を上記した水栓本体の接続部にそれぞれ取り付けることにより、給水配管・給湯配管と水栓本体とが接続されている。
【０００３】
これを図４を参照して説明する。水栓本体２０背面側（図の上方）からは、吐水口やシャワーホースから吐出される湯水を混合する水栓本体内の混合室へと連通する円筒状の水側接続部２２及び湯側接続部２４がそれぞれ突設されている。一方、給水配管及び給湯配管は、壁面等の取付部７０の裏側に引き回されている。接続配管７１には、それぞれ雄ねじが刻設された後方接続口７２及び前方接続口７３が備えられており、両接続口の間には、後述する取付部７０の取付孔７４よりも大径のフランジ部７５が設けられている。給水配管側及び給湯配管側にそれぞれ用意された２つの接続配管７１は、固定ステー７６の固定用孔７７にそれぞれ挿通された状態で後方接続口７２にナット７８が螺着されて、所定の間隔に定められて固定ステー７６に取り付けられている。固定ステー７６の固定用孔７７は、両接続配管７１が水栓本体２０の水側接続部２２，湯側接続部２４の間隔に合わせた間隔となるように設けられており、予め両接続配管７１の間隔を定めておいて水栓本体２０の接続配管７１への接続作業を容易にするものである。また、図示は省略するが、後方接続口７２にはさらに袋ナットにより給水配管・給湯配管がそれぞれ接続固定されている。そして、固定ステー７６に取り付けられた各接続配管７１を、その前方接続口７３を取付部７０の取付孔７４に挿通させて、取付部７０前方側に前方接続口７３の開口部を臨ませる。
【０００４】
取付部７０前方側においては、シートパッキン８０及び取付ステー８１を介して、円筒状の固定部材８２が前方接続口７３に螺着固定される。固定部材８２の前方側には、取付部７０の取付孔７４及び取付ステー８１の取付孔８５よりも大径のフランジ部８３が設けられており、上述した接続配管７１のフランジ部７５とこの固定部材８２のフランジ部８３とにより取付部７０及び取付ステー８１が狭持されて、接続配管７１、固定ステー７６、取付ステー８１、固定部材８２等が取付部７０に固定されることとなる。また、接続配管７１の前方接続口７３内周面にはＯリング４０が装着されており、この前方接続口７３に水栓本体２０の水側接続部２２，湯側接続部２４がそれぞれ挿嵌接続されて、水側接続部２２，湯側接続部２４と接続配管７１とが水密に接続されることとなる。また、水栓本体２０は別途取付ステー８１に固定されて、水栓本体２０自体も取付部７０に固定される（特許文献１参照）。
【０００５】
【特許文献１】
特開２００１−３４０９号公報（図２及び図３参照）
【０００６】
【発明が解決しようとする課題】
上記した取付構造８４では、固定ステー７６によって予め両接続配管７１の間隔を水栓本体２０の水側接続部２２，湯側接続部２４の間隔と一致させておくことにより、位置合わせをしながら接続作業を行うなどの接続作業の繁雑さを解消しようとするものであるが、水栓本体２０の水側接続部２２，湯側接続部２４の間隔が予め定められているため、固定ステー７６に設けられた２つの固定用孔７７の間隔が所定値から僅かに狂っていても、水側接続部２２，湯側接続部２４を取り付けることができない場合があった。また、取付部７０の後方側から接続配管７１等を挿通した状態で保持しつつ、取付部７０の前方側から固定部材８２を螺着する作業を行う必要が生ずるため、取付部７０の前後で同時に作業を行わなければならないという作業の煩雑さも生じており、このように取付部７０の前後で同時に作業を必要とするために、作業箇所の目視確認等が容易ではなく作業の正確性を欠く原因となっていたり、また、固定部材８２や固定ステー７６を取り付けるという煩雑な作業が必要とされるなど作業性が良くなかった。
【０００７】
本発明は、上記した従来の配管の取付構造の問題点を解消するものであり、接続配管と水栓本体の接続部との間隔調整を容易に行うことができると共に、水栓本体の接続配管への取り付け施工の作業性を向上させることを目的とする。
【０００８】
【課題を解決するための手段】
以上の課題を解決するために、本発明の採った手段を以下に説明する。本発明は、水栓本体から突設される水側接続部・湯側接続部が給水配管側・給湯配管側の接続配管に挿嵌接続されると共に、先端のねじ部の径よりも大径の軸部を奥端に有する段付きビスが、前記接続配管に突設された突設片に形成された取付穴に挿通され、さらに、ステーに形成されたねじ孔にねじ込まれて、前記接続配管が前記ステーに取り付けられる接続配管の取付構造であって、前記取付穴は水栓本体の前記両接続部の間隔方向において長円に形成されると共に、前記取付穴の周縁部の厚みが前記軸部の長さよりも薄く形成されたことを特徴とする接続配管の取付構造である（請求項１）。
【０００９】
本発明は、接続配管の突設片に取付穴を設け、段付きビスを用いて接続配管とステーとを固定するものである。ここで「段付きビス」は、先端にねじ部を設けこのねじ部よりも大径の軸部を奥端に有する。この段付きビスを接続配管の取付穴に挿通すると共にさらにステーのねじ孔にねじ込んで接続配管とステーとを固定する。取付穴は、水栓本体の接続部の間隔方向において段付きビスの軸部よりも長い長円に形成されているので、取付穴内周面と段付きビスの軸部との間には隙間が生じる。また、取付穴の周辺部の厚みは軸部の長さよりも薄く形成されており、ステーに段付きビスをねじ込んだ際に段付きビスの頭が取付穴周縁、すなわち突設片に圧着されることはない。このように構成することにより、接続配管は、ステーに固定状態とされるが水栓本体の両接続部の間隔方向においては遊嵌状態とすることができる。よって、接続配管をステーに固定した後においても両接続部の間隔に合わせて接続配管の間隔を微調整することができる。取付穴は軸部の外径よりも長い長円に設けられるのであるが、その大きさは間隔調整に必要な程度で適宜定めればよい。この調整作業においては、取付穴の隙間の範囲内で接続配管を適宜移動させるだけで接続配管の適切な位置決めを行うことができるので、極めて容易に位置合わせの作業を行うことができる。また、上記のように段付きビスをねじ込むだけで、ステーへの接続配管の取り付けが完了する一方で接続配管の間隔の微調整はその後も行うことができるので、例えば、ステーの背面側に接続配管が取り付けられる場合には、接続配管が脱落しないようにステー背面側でステーを保持しながらステー正面側で接続作業などを行う必要がなく、このような作業における接続配管が取り付けられる側のステーの目視などの必要がない。
【００１０】
ここで「接続配管」は、その配管側が給水配管側・給湯配管側に接続されると共に水栓本体側は水栓本体の接続部に接続される配管を言い、ストレート管やエルボなどの剛性管や可撓管など種々の配管を含み、その形状や材質などは限定されない。「突設片」は、突片、舌片、フランジその他の、接続配管に突設される種々の部位を含む。「水栓の前記両接続部の間隔方向において長円に形成」とは、両接続部の間隔方向にその内径が大きく形成された楕円形や長穴状に形成することをいう。しかしながら、間隔方向においては調整を可能とすると共に間隔方向以外には接続配管ががたつかないようにしたい場合には、間隔方向には軸部より長く間隔方向と直交する方向においては軸部の径とほぼ同じ長さの長穴状に設けることが好ましい。また、「取付穴の周縁部」の厚みが軸部の長さよりも薄く形成されていればねじ込み時に段付きビスの頭が突設片に圧着することがないので、周縁部のみならず突設片の他の部位も軸部の長さよりも薄く形成されていてもよいが、少なくとも突設片のうち、段付きビスの頭の外径部分に相当する取付穴の周縁部は軸部の長さよりも薄く形成するという趣旨である。
【００１１】
この接続配管の取付構造において、前記接続配管は屈曲形成されたエルボであり、前記突設片はエルボの配管側の屈曲方向とは異なる位置に設けられるものとしてもよい（請求項２）。
【００１２】
上記した接続配管として、略Ｌ字状に屈曲されたエルボを用いることがある。エルボを用いる場合、取付穴が穿設された突設片を配管側において屈曲されたエルボの屈曲方向と同じように突設すると、突設片の取付穴に段付きビスを取り付ける際に屈曲されたエルボの本体が邪魔をして、段付きビスのねじ込み作業の障害となる。この屈曲方向と異なる位置に突設片を設けることにより、接続配管としてエルボを用いる場合にエルボ本体がねじ込み作業の妨げとならず、作業性を向上させることができる。
【００１３】
【発明の実施の形態】
次に、本発明の接続配管の取付構造の実施の形態を、図を参考にして詳細に説明する。図１及び図２に示すように、本実施の形態の接続配管の取付構造１０は、壁面２に対して固定される水栓本体２０の水側接続部２２・湯側接続部２４に、給水配管１・給湯配管１にそれぞれ接続されたエルボ４２を接続すると共に、第１ステー５４にエルボ４２を取り付けるものである。
【００１４】
水栓本体２０は、その両側に温度調節ハンドル２６及び吐水切換ハンドル２８がそれぞれ取り付けられており、温度調節ハンドル２６によって水栓本体２０に内蔵されたサーモスタットカートリッジを駆動して吐水の温度を調節し、切換ハンドル２８によって水栓本体２０に内蔵された切換弁を駆動して、シャワーヘッド又は吐水口からの吐水の切換、及び吐水量の調節を行うものである。また、水栓本体２０の背面側には、上記したように、水栓本体２０に供給される湯・水が流入される円筒状の水側接続部２２・湯側接続部２４が、水栓本体２０の背面側の左右に並ぶように、水栓本体２０と一体的にそれぞれ突設されている。水栓本体２０と一体的に形成される水側接続部２２，湯側接続部２４は、予め定められた間隔で形成されており、本水栓本体２０においてはその軸心間が１００ｍｍに定められている。また、これらの水側接続部２２，湯側接続部２４の間にはシャワー接続口３２が突設されている。このシャワー接続口３２には、シャワーヘッドが取り付けられたシャワーホースがその一端に接続される接続管３０が接続され、シャワーヘッドへの吐水が流出される。また、接続管３０の他端側には、袋ナット３４により接続管３０にアダプター３６が取り付けられている。後述するように、このアダプター３６内にシャワー接続口３２が挿嵌接続されており、アダプター３６の開口部内周面にはＯリング４０が装着され、シャワー接続口３２の挿嵌状態においてシャワー接続口３２との水密が図られる。
【００１５】
給水配管１・給湯配管１は、ユニットバスの躯体壁面２の裏側に引き回されて、水栓本体２０の下方から躯体内側に引き込まれている。躯体内側に引き込まれた給水配管１・給湯配管１は、図２に示すように上方に向かって立ち上げられ、その端末に本発明の接続配管であるエルボ４２が袋ナット４３により接続固定されている。
【００１６】
このエルボ４２は、図２に示すようにその全体形状が略Ｌ字状に屈曲形成された接続配管である。エルボ４２の配管側には下方から立ち上がる給水配管１・給湯配管１に接続されるために雄ねじが刻設されている。図２及び図３に示すように、この雄ねじが刻設された配管側とは反対側の水栓本体２０側には突設片４４が設けられている。突設片４４は、屈曲されるエルボ４２の配管側の屈曲方向と略直交する方向において、エルボ４２水栓本体側の外周面の対向する部位に、エルボ４２外周面から立ち上がるようにそれぞれ突設されている。この突設片４４には、後述する段付きビス５０を挿通するための長穴状の取付穴４６が穿設されている。
【００１７】
この取付穴４６は、屈曲されるエルボ４２の配管側の屈曲方向と直交する方向において段付きビス５０の軸部５２の外径よりも大きな幅となる平面視長円の長穴状に形成されている。上記したように、エルボ４２の水栓本体側は水栓本体２０の水側接続部２２・湯側接続部２４にそれぞれ接続される。水栓本体２０は、壁面２に対して固定されるに当たって水側接続部２２と湯側接続部２４がほぼ水平となるように取り付けられ、一方、エルボ４２は下方から立ち上がる給水配管１・給湯配管１に接続される。よって、エルボ４２の取付穴４６の長手方向は、水栓本体２０の両接続部２２，２４の間隔方向と一致し、段付きビス５０の軸部５２に対して、エルボ４２が両接続部２２，２４の間隔方向において移動可能に設けられる。そして、水栓本体２０の接続部２２，２４が接続される水栓本体側の開口部内周面には、２つのＯリング４０がそれぞれ装着されており、挿嵌される水栓本体の接続部外周面との間の水密が図られている。
【００１８】
なお、エルボ４２に取り付けられる水栓本体２０の水側接続部２２，湯側接続部２４の間隔方向に従い、この取付穴４６の長穴形状は適宜変更することができるが、少なくとも水栓本体２０の水側接続部２２，湯側接続部２４の間隔方向において軸部５２の外径よりも大きな長さを有することが必要である。また、本例では突設片４４は上記したようにエルボ４２の屈曲方向と直交する方向に立設されているが、これに限られずエルボ４２外周面の他の部位に設けることとしても良い。この場合においても、上記したように、取付穴は水栓本体２０の水側接続部２２，湯側接続部２４の間隔方向に合わせて段付きビス５０の軸部５２の外径よりも大きな長さとなるような形状に設ければよい。
【００１９】
図１に示すように、第１ステー５４は、その取付面５６が壁面２にねじ止め固定されている。第１ステー５４には、その正面側にエルボ４２の水栓本体側が挿通される２つの挿通孔５８がそれぞれ設けられており、これらの挿通孔５８の間隔は水栓本体２０の２つの水側接続部２２，湯側接続部２４の間隔と同じ間隔に設けられている。挿通孔５８の内径はエルボ４２の水栓本体側外径よりも若干大きな寸法に設けられており、挿通孔５８内でエルボ４２の位置を調節できるように設けられている。また、それぞれの挿通孔５８の両側には、エルボ４２の取付穴４６に挿通された段付きビス５０のねじ部５３が螺合されるねじ孔６０が形成されている。また、これらの２つの挿通孔５８の間には、接続管３０に取り付けられたアダプター３６が挿通される挿通孔６１も設けられている。
【００２０】
図３に示すように、エルボ４２は、段付きビス５０によって第１ステー５４に固定されている。エルボ４２の突設片４４に設けられた取付穴４６は、図示するように、水栓本体２０の水側接続部２２，湯側接続部２４の間隔方向（図３の左右方向）において段付きビス５０の軸部５２の外径よりも大きく設けられた平面視長円の長穴状に設けられている。この取付穴４６に挿通された上で段付きビス５０が第１ステー５４のねじ孔６０にねじ込まれている。段付きビス５０の軸部５２は、ねじ部５３よりも外径が大きく形成されており、段付きビス５０が第１ステー５４のねじ孔６０にねじ込まれた際に、軸部５２の端部がねじ孔６０の周縁部に当接してそれ以上に段付きビス５０がねじ込まれないように設けられている。このように軸部５２の端部が規制されることにより、段付きビス５０のねじ込み方向の位置決めがなされる。
【００２１】
突設片４４は、その厚みが軸部５２の長さよりも薄く形成されているので、図３に示すように、段付きビス５０をねじ孔６０にねじ込んでいっても、軸部５２の端部が第１ステー５４に当接した状態で、段付きビス５０の頭５５は突設片４４に圧着されることはない。このように、エルボ４２を第１ステーに取り付けた状態においても、エルボ４２は第１ステー５４に完全には固定されてはいないので、水栓本体２０の水側接続部２２，湯側接続部２４の間隔方向においてエルボ４２の位置を調整することが可能である。
【００２２】
また、取付穴４６が設けられる突設片４４は挿通孔５８の左右両側に設けられ、それぞれが段付きビス５０により第１ステー５４に固定されることによりエルボ４２が第１ステー５４に一層確実・安定的に固定されている。なお、この突設片４４をエルボ４２に１つだけ設けることも可能であるが、より確実・安定的にエルボ４２を固定するには本例のように２つ設けることが好ましく、さらには、３つ以上設けて、第１ステー５４に対して３箇所以上において固定することとしても良い。また、接続配管としてエルボ４２を用いる場合に、エルボ４２の配管側の屈曲部分と同じ方向（図２における図の下側方向）に突設片４４を設けると、エルボ４２の配管側やこれに接続された給水配管１・給湯配管１が邪魔をして突設片４４への段付きビス５０の取り付け作業が困難となるので、このような部位以外のエルボ４２の部位に突設片４４を設けることが好ましい。
【００２３】
また図１に示すように、本例においては、カバー６２によりエルボ４２などの配管類が被覆されている。カバー６２は、第２ステー６４よりも背面側を被覆するものであり、エルボ４２、第１ステー５４、給水配管１・給湯配管１、水栓本体２０とシャワーホースとを接続する接続管３０等を使用者の目に触れないようにして、水栓全体の美観を損なわないようにするものである。図３に示すように、カバー６２は第１ステー５４の正面側に、さらにその正面側に配設される第２ステー６４とともに、同じく段付きビスによって第１ステー５４にねじ止め固定されている。このようにして、カバー６２及び第２ステー６４が第１ステー５４に固定されている。また、カバー６２及び第２ステー６４には、第１ステー５４に固定された状態で第１ステー５４の挿通孔５８と対応する部位に、同様にエルボ４２の水栓本体側を挿通させるための挿通孔６６がそれぞれ設けられている。また、同様にアダプター３６が挿通される挿通孔６７も設けられている。そして、図示は省略するが、さらに第２ステー６４に対して水栓本体２０がねじ止め固定されており、水栓本体２０も第１ステー５４及び第２ステー６４を介して壁面２に固定されている。
【００２４】
エルボ４２の水栓本体側開口部は、図３に示すように、第１ステー５４、カバー６２及び第２ステー６４のそれぞれの挿通孔５８，６６に挿通されて第２ステー６４の正面側に露呈されており、この開口部内に水栓本体２０の水側接続部２２，湯側接続部２４がそれぞれ挿嵌接続されている。
【００２５】
次いで、この接続配管の取付構造１０の取り付け方法について説明する。まず、エルボ４２の水栓本体側を第１ステー５４に固定する。エルボ４２の水栓本体側を第１ステー５４の挿通孔５８に挿通し、突設片４４の取付穴４６を通して段付きビス５０を第１ステー５４のねじ孔６０にねじ込む。上記したように、段付きビス５０をねじ込んでいっても段付きビス５０の頭５５は突設片４４に圧着されないので、エルボ４２は第１ステー５４に対して遊嵌状態で固定される。同様にして他の突設片４４についても段付きビス５０を取り付ける。また、シャワーホースに接続される接続管３０の他端側に、袋ナット３４によりアダプター３６を固定しておく。次に、第１ステー５４を壁面２にねじ止めした後、ユニットバスの躯体内に引き込まれた給水配管１・給湯配管１に、各々エルボ４２の配管側を袋ナット４３などにより接続固定する。
【００２６】
次いで、挿通孔６６にエルボ４２の水栓本体側を挿通させて取り付けるとともに、カバー６２及び第２ステー６４を第１ステー５４にねじ止めする。同時にアダプター３６も挿通孔６７に挿通しておく。そして、第２ステー６４の正面側からエルボ４２の水栓本体側開口部内に水栓本体２０の水側接続部２２，湯側接続部２４を挿嵌接続する。この際に、エルボ４２は水栓本体２０の水側接続部２２，湯側接続部２４の間隔方向において移動調節をすることができるので、水側接続部２２，湯側接続部２４の間隔に合わせてエルボ４２の位置を微調整しながら、エルボ４２の水栓本体側開口部内に水側接続部２２，湯側接続部２４を容易に挿嵌することができる。また、この挿嵌接続の際にはエルボ４２の第１ステー５４への取り付けは既に完了しているため、第２ステー６４の正面側から水栓本体２０を保持しながら挿嵌作業を行うだけでよく、第１ステー５４背面側からエルボ４２を保持するなどの必要はない。また同時に、水栓本体２０のシャワー接続口３２もアダプター３６内に挿嵌接続する。そして、水側接続部２２，湯側接続部２４等を挿嵌した状態で水栓本体２０を第２ステー６４にねじ止め固定する。第２ステー６４は第１ステー５４を介して壁面２に固定されており、エルボ４２とともに水栓本体２０も壁面２に対して充分に固定されることとなる。このようにして取り付け作業が完了する。
【００２７】
【発明の効果】
本発明は上記のように構成されているので、給水配管・給湯配管にそれぞれ接続される接続配管をステーに取り付けた後でも、両接続配管の間隔を容易に調節することができるので、接続配管と水栓本体の水側接続部・湯側接続部との間隔調整を容易に行うことができ、また、水栓本体の接続配管への取り付け作業の作業性を向上させることができる。また、特に請求項２に記載の発明では、接続配管としてエルボを用いる場合にも接続配管への取り付け作業の作業性を向上させることができる。
【図面の簡単な説明】
【図１】本発明の接続配管の取付構造を用いた水栓の一部破断面図である。
【図２】配管に接続された接続配管の斜視図である。
【図３】接続配管の取付構造の要部拡大横断面図である。
【図４】従来の接続配管の取付構造を用いた水栓の一部破断面図である。
【符号の説明】
１；給水配管，給湯配管、２；壁面、１０；取付構造、２０；水栓本体、２２；水側接続部、２４；湯側接続部、２６；温度調節ハンドル、２８；吐水切換ハンドル、３０；接続管、３２；シャワー接続口、３４；袋ナット、３６；アダプター、４０；Ｏリング、４２；エルボ、４３；袋ナット、４４；突設片、４６；取付穴、５０；段付きビス、５２；軸部、５３；ねじ部、５４；第１ステー、５５；頭、５６；取付面、５８；挿通孔、６０；ねじ孔、６１；挿通孔、６２；カバー、６４；第２ステー、６６；挿通孔、６７；挿通孔、７０；取付部、７１；接続配管、７２；後方接続口、７３；前方接続口、７４；取付孔、７５；フランジ部、７６；固定ステー、７７；固定用孔、７８；ナット、７９；袋ナット、８０；シートパッキン、８１；取付ステー、８２；固定部材、８３；フランジ部、８４；取付構造、８５；取付孔。
【図１】
2004300831.tif 000003
【図２】
2004300831.tif 000004
【図３】
2004300831.tif 000005
【図４】
2004300831.tif 000006